【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
見出語と、少なくとも一つの語義と、各語義に対する語義分野と、を対応付けて記憶する説明情報記憶手段と、
ユーザ操作に従って指定された見出語に対応する語義を表示する語義表示制御手段と、
この語義表示制御手段により表示された語義のうちのいずれかの単語を
ユーザ操作に従って指定する語義中単語指定手段と、
この語義中単語指定手段により指定された単語が含まれていた語義に対する語義分野を記憶し、その後前記語義表示制御手段が見出語に対応する語義を表示する際に、当該記憶された語義分野に対する語義を、他の語義に優先して表示又は他の語義から識別して表示させる制御を行う語義優先表示制御手段と、
を備えることを特徴とする情報表示制御装置。
【請求項２】
前記語義分野毎に、キーワードを記憶する分野別キーワード記憶手段を有し、
前記語義優先表示制御手段は、前記語義中単語指定手段により指定された単語が含まれていた語義の中から前記分野別キーワード記憶手段により記憶されたキーワードが検出された場合に、対応する語義分野を記憶し、その後前記語義表示制御手段が見出語に対応する語義を表示する際に、当該記憶された語義分野に対する語義を、他の語義に優先又は識別して表示させる制御を行う、ことを特徴とする請求項１に記載の情報表示制御装置。
【請求項３】
用例を見出語のいずれかの語義と対応付けて記憶する用例記憶手段と、
ユーザ操作に従って、表示中の語義に対応する用例を前記用例記憶手段から読み出して表示する制御を行う用例表示制御手段と、
を更に備え、
前記語義優先表示制御手段は、前記用例表示制御手段により表示制御された用例が対応付けられた語義に対応する語義分野を記憶し、その後前記語義表示制御手段が見出語に対応する語義を表示する際に、当該記憶された語義分野に対する語義を、他の語義に優先又は識別して表示させる制御を行う、ことを特徴とする請求項１に記載の情報表示制御装置。
【請求項４】
コンピュータに、
見出語と、少なくとも一つの語義と、各語義に対する語義分野と、を対応付けて記憶する説明情報記憶手段と、
ユーザ操作に従って指定された見出語に対応する語義を表示する語義表示制御手段と、
この語義表示制御手段により表示された語義のうちのいずれかの単語をユーザ操作に従って指定する語義中単語指定手段と、
この語義中単語指定手段により指定された単語が含まれていた語義に対する語義分野を記憶し、その後前記語義表示制御手段が見出語に対応する語義を表示する際に、当該記憶された語義分野に対する語義を、他の語義に優先又は識別して表示させる制御を行う語義優先表示制御手段と、
を実現させるためのプログラム。
【手続補正２】
【補正対象書類名】明細書
【補正対象項目名】発明の名称
【補正方法】変更
【補正の内容】
【発明の名称】情報表示制御装置及びプログラム
【手続補正３】
【補正対象書類名】明細書
【補正対象項目名】０００１
【補正方法】変更
【補正の内容】
【０００１】
本発明は、情報表示制御装置及びプログラムに関する。
【手続補正４】
【補正対象書類名】明細書
【補正対象項目名】０００６
【補正方法】変更
【補正の内容】
【０００６】
以上の課題を解決するための請求項１に記載の情報表示制御装置は、
見出語と、少なくとも一つの語義と、各語義に対する語義分野と、を対応付けて記憶する説明情報記憶手段と、
ユーザ操作に従って指定された見出語に対応する語義を表示する語義表示制御手段と、
この語義表示制御手段により表示された語義のうちのいずれかの単語をユーザ操作に従って指定する語義中単語指定手段と、
この語義中単語指定手段により指定された単語が含まれていた語義に対する語義分野を記憶し、その後前記語義表示制御手段が見出語に対応する語義を表示する際に、当該記憶された語義分野に対する語義を、他の語義に優先して表示又は他の語義から識別して表示させる制御を行う語義優先表示制御手段と、
を備えることを特徴としている。
【手続補正５】
【補正対象書類名】明細書
【補正対象項目名】０００７
【補正方法】変更
【補正の内容】
【０００７】
また、請求項４に記載の発明のプログラムは、コンピュータに、見出語と、少なくとも一つの語義と、各語義に対する語義分野と、を対応付けて記憶する説明情報記憶手段と、ユーザ操作に従って指定された見出語に対応する語義を表示する語義表示制御手段と、この語義表示制御手段により表示された語義のうちのいずれかの単語をユーザ操作に従って指定する語義中単語指定手段と、この語義中単語指定手段により指定された単語が含まれていた語義に対する語義分野を記憶し、その後前記語義表示制御手段が見出語に対応する語義を表示する際に、当該記憶された語義分野に対する語義を、他の語義に優先又は識別して表示させる制御を行う語義優先表示制御手段と、を実現させるためのプログラムである。
【手続補正６】
【補正対象書類名】明細書
【補正対象項目名】０００８
【補正方法】変更
【補正の内容】
【０００８】
請求項２に記載の発明は、請求項１に記載の情報表示制御装置において、前記語義分野毎に、キーワードを記憶する分野別キーワード記憶手段を有し、前記語義優先表示制御手段は、前記語義中単語指定手段により指定された単語が含まれていた語義の中から前記分野別キーワード記憶手段により記憶されたキーワードが検出された場合に、対応する語義分野を記憶し、その後前記語義表示制御手段が見出語に対応する語義を表示する際に、当該記憶された語義分野に対する語義を、他の語義に優先又は識別して表示させる制御を行う、ことを特徴としている。
【手続補正７】
【補正対象書類名】明細書
【補正対象項目名】０００９
【補正方法】変更
【補正の内容】
【０００９】
請求項３に記載の発明は、請求項１に記載の情報表示制御装置において、用例を見出語のいずれかの語義と対応付けて記憶する用例記憶手段と、ユーザ操作に従って、表示中の語義に対応する用例を前記用例記憶手段から読み出して表示する制御を行う用例表示制御手段と、を更に備え、前記語義優先表示制御手段は、前記用例表示制御手段により表示制御された用例が対応付けられた語義に対応する語義分野を記憶し、その後前記語義表示制御手段が見出語に対応する語義を表示する際に、当該記憶された語義分野に対する語義を、他の語義に優先又は識別して表示させる制御を行う、ことを特徴としている。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
請求項１又は４に記載の発明によれば、表示された語義のうちのいずれかの単語をユーザ操作に従って指定する。そして、ユーザ操作に従って指定された見出語に対応する語義を表示する際に、前述のように指定された単語が含まれていた語義に対する語義分野の説明情報を、他の語義の説明情報に優先して表示させる制御を行うことができる。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】